(57)【要約】  電力制御を使用して、D2D通信に関与するUEによるマクロeNBに対する潜在的干渉を低減するための、ワイヤレス通信に対する方法、装置、およびコンピュータプログラム製品が提供される。eNBは、マクロeNBの電力飽和値に基づいてフラクショナル電力制御パラメータを生成し、フラクショナル電力制御パラメータをブロードキャストするように動作可能であり得る。UEは、フラクショナル電力制御パラメータを受信し、UEとマクロeNBとの間のパスロス値を加えたフラクショナル電力制御パラメータが、D2D通信に使用される最大電力未満であるかどうかを判断するように装備され得る。UEは、UEとマクロeNBとの間のパスロス値を加えたフラクショナル電力制御パラメータが、D2D通信に使用される最大電力未満であるとき、D2D通信に使用される最大送信電力を低減できる。
2015517778.tif 000002
【特許請求の範囲】
【請求項１】
ワイヤレス通信の方法であって、
マクロ発展型ノードB(eNB)の電力飽和値に基づいてフラクショナル電力制御パラメータを生成するステップと、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータをブロードキャストするステップとを含む、方法。
【請求項２】
前記フラクショナル電力制御パラメータが、前記マクロeNBのカバレージエリアのエッジにおける物理アップリンク制御チャネル(PUCCH)の電力、または最大パスロス値のうちの少なくとも一方にさらに基づく、請求項1に記載の方法。
【請求項３】
前記フラクショナル電力制御パラメータを前記生成するステップが、
前記マクロeNBの前記カバレージエリアの前記エッジにおける前記PUCCHの前記電力から前記最大パスロス値を減じることによって第1の値を決定するステップと、
前記第1の値に前記マクロeNBの電力飽和値を加えることによって前記フラクショナル電力制御パラメータを決定するステップとをさらに含む、請求項2に記載の方法。
【請求項４】
前記D2D通信が、1つまたは複数の他のUEから前記マクロeNBによって受信されるアップリンク通信に対して周波数直交する、請求項1に記載の方法。
【請求項５】
前記ブロードキャストするステップが、1つまたは複数の隣接セルの各々に対するフラクショナル電力制御パラメータを含むリストをブロードキャストするステップをさらに含む、請求項1に記載の方法。
【請求項６】
前記1つまたは複数の隣接セルの、前記リストへの包含が、前記1つまたは複数の隣接セルが、
閉じた加入者グループセル、開いた加入者グループセル、マクロeNB、ホームeNB、またはピコeNBのうちの少なくとも1つであるかどうかに応じて決まる、請求項5に記載の方法。
【請求項７】
前記1つまたは複数の隣接セルの各々から、前記1つまたは複数の隣接セルの各々に対する前記フラクショナル電力制御パラメータを受信するステップをさらに含む、請求項5に記載の方法。
【請求項８】
ワイヤレス通信の方法であって、
D2D通信に関与している間にマクロeNBからフラクショナル電力制御パラメータを、UEによって受信するステップと、
前記UEと前記マクロeNBとの間のパスロス値を加えた前記フラクショナル電力制御パラメータで規定される第1の値が、前記D2D通信に使用される最大電力で規定される第2の値未満であるかどうかを判断するステップとを含む、方法。
【請求項９】
前記第1の値が前記第2の値未満であるものと判断されないとき、前記D2D通信に対する送信電力レベルを維持するステップをさらに含む、請求項8に記載の方法。
【請求項１０】
前記第1の値が前記第2の値未満であるものと判断されるとき、D2D通信に対する最大送信電力レベルを前記第1の値まで低減するステップをさらに含む、請求項8に記載の方法。
【請求項１１】
前記UEと隣接セルのeNBとの間のパスロス値を加えた前記フラクショナル電力制御パラメータで規定される第3の値が、前記第2の値未満であるかどうかを判断するステップと、
前記第3の値が前記第2の値未満であるものと判断されないとき、前記D2D通信に対する送信電力レベルを維持するステップ、または
前記第3の値が前記第2の値未満であるものと判断されるとき、D2D通信に対する最大送信電力レベルを前記第3の値まで低減するステップとをさらに含む、請求項8に記載の方法。
【請求項１２】
前記フラクショナル電力制御パラメータを受信するステップが、1つまたは複数の隣接セルに対するフラクショナル電力制御パラメータを含むリストを受信するステップをさらに含み、前記第3の値を決定するために使用されるべき前記リストから選択された前記フラクショナル電力制御パラメータが、前記隣接セルのeNBのセル識別子に基づく、請求項11に記載の方法。
【請求項１３】
D2D通信に対する前記送信電力レベルが、前記隣接セルに関連付けられたULサブフレームに対して維持される、請求項11に記載の方法。
【請求項１４】
前記マクロeNBに関連付けられたセル内でD2D通信に使用されるサブフレームが、隣接セル内のDLサブフレームであるものと判断するステップと、
前記受信されたフラクショナル電力制御パラメータに乗算器を適用して、前記UEと前記マクロeNBとの間のパスロス値を加えた前記フラクショナル電力制御パラメータに対してより小さい値をもたらすステップとをさらに含む、請求項11に記載の方法。
【請求項１５】
前記フラクショナル電力制御パラメータが、最大パスロス値を減じ、マクロeNBの電力飽和値を加えた、前記マクロeNBのカバレージエリアのエッジにおけるPUCCHの電力を含む、請求項11に記載の方法。
【請求項１６】
ワイヤレス通信のための装置であって、
マクロ発展型ノードB(eNB)の電力飽和値に基づいてフラクショナル電力制御パラメータを生成するための手段と、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータをブロードキャストするための手段とを含む、装置。
【請求項１７】
前記フラクショナル電力制御パラメータが、前記マクロeNBのカバレージエリアのエッジにおける物理アップリンク制御チャネル(PUCCH)の電力、または最大パスロス値のうちの少なくとも一方にさらに基づく、請求項16に記載の装置。
【請求項１８】
前記フラクショナル電力制御パラメータを生成するための前記手段が、
前記マクロeNBの前記カバレージエリアの前記エッジにおける前記PUCCHの前記電力から前記最大パスロス値を減じることによって第1の値を決定するための手段と、
前記第1の値に前記マクロeNBの電力飽和値を加えることによって前記フラクショナル電力制御パラメータを決定するための手段とをさらに含む、請求項17に記載の装置。
【請求項１９】
前記D2D通信が、1つまたは複数の他のUEから前記マクロeNBによって受信されるアップリンク通信に対して周波数直交する、請求項16に記載の装置。
【請求項２０】
ブロードキャストするための前記手段が、1つまたは複数の隣接セルの各々に対するフラクショナル電力制御パラメータを含むリストをブロードキャストするための手段をさらに含む、請求項16に記載の装置。
【請求項２１】
前記1つまたは複数の隣接セルの、前記リストへの包含が、前記1つまたは複数の隣接セルが、閉じた加入者グループセル、開いた加入者グループセル、マクロeNB、ホームeNB、またはピコeNBのうちの少なくとも1つであるかどうかに応じて決まる、請求項20に記載の装置。
【請求項２２】
前記1つまたは複数の隣接セルの各々から、前記1つまたは複数の隣接セルの各々に対する前記フラクショナル電力制御パラメータを受信するための手段をさらに含む、請求項20に記載の装置。
【請求項２３】
ワイヤレス通信のための装置であって、
D2D通信に関与している間にマクロeNBからフラクショナル電力制御パラメータを、UEによって受信するための手段と、
前記UEと前記マクロeNBとの間のパスロス値を加えた前記フラクショナル電力制御パラメータで規定される第1の値が、前記D2D通信に使用される最大電力で規定される第2の値未満であるかどうかを判断するための手段とを含む、装置。
【請求項２４】
前記第1の値が前記第2の値未満であるものと判断されないとき、前記D2D通信に対する送信電力レベルを維持するための手段をさらに含む、請求項23に記載の装置。
【請求項２５】
前記第1の値が前記第2の値未満であるものと判断されるとき、D2D通信に対する最大送信電力レベルを前記第1の値まで低減するための手段をさらに含む、請求項23に記載の装置。
【請求項２６】
判断するための前記手段が、前記UEと隣接セルのeNBとの間のパスロス値を加えた前記フラクショナル電力制御パラメータで規定される第3の値が、前記第2の値未満であるかどうかを判断するための手段をさらに含み、前記装置が、
前記第3の値が前記第2の値未満であるものと判断されないとき、前記D2D通信に対する送信電力レベルを維持するための手段、または
前記第3の値が前記第2の値未満であるものと判断されるとき、D2D通信に対する最大送信電力レベルを前記第3の値まで低減するための手段をさらに含む、請求項23に記載の装置。
【請求項２７】
前記フラクショナル電力制御パラメータを受信するための手段が、1つまたは複数の隣接セルの各々に対するフラクショナル電力制御パラメータを含むリストを受信するための手段をさらに含み、前記第3の値を決定するために使用されるべき前記リストから選択された前記フラクショナル電力制御パラメータが、前記隣接セルのeNBのセル識別子に基づく、請求項26に記載の装置。
【請求項２８】
D2D通信に対する前記送信電力レベルが、前記隣接セルに関連付けられたULサブフレームに対して維持される、請求項26に記載の装置。
【請求項２９】
判断するための前記手段が、前記マクロeNBに関連付けられたセル内でD2D通信に使用されるサブフレームが、隣接セル内のDLサブフレームであるものと判断するための手段をさらに含み、前記装置が、
前記受信されたフラクショナル電力制御パラメータに乗算器を適用して、前記UEと前記マクロeNBとの間のパスロス値を加えた前記フラクショナル電力制御パラメータに対してより小さい値をもたらすための手段をさらに含む、請求項26に記載の装置。
【請求項３０】
前記フラクショナル電力制御パラメータが、最大パスロス値を減じ、マクロeNBの電力飽和値を加えた、前記マクロeNBのカバレージエリアのエッジにおけるPUCCHの電力を含む、請求項26に記載の装置。
【請求項３１】
ワイヤレス通信のための装置であって、
マクロ発展型ノードB(eNB)の電力飽和値に基づいてフラクショナル電力制御パラメータを生成することと、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータをブロードキャストすることとを行うように構成された処理システムを備える、装置。
【請求項３２】
前記フラクショナル電力制御パラメータが、前記マクロeNBのカバレージエリアのエッジにおける物理アップリンク制御チャネル(PUCCH)の電力、または最大パスロス値のうちの少なくとも一方にさらに基づく、請求項31に記載の装置。
【請求項３３】
前記処理システムが、
前記マクロeNBの前記カバレージエリアの前記エッジにおける前記PUCCHの前記電力から前記最大パスロス値を減じることによって第1の値を決定することと、
前記第1の値に前記マクロeNBの電力飽和値を加えることによって前記フラクショナル電力制御パラメータを決定することとを行うようにさらに構成される、請求項32に記載の装置。
【請求項３４】
前記D2D通信が、1つまたは複数の他のUEから前記マクロeNBによって受信されるアップリンク通信に対して周波数直交する、請求項31に記載の装置。
【請求項３５】
前記処理システムが、1つまたは複数の隣接セルの各々に対するフラクショナル電力制御パラメータを含むリストをブロードキャストするようにさらに構成される、請求項31に記載の装置。
【請求項３６】
前記1つまたは複数の隣接セルの、前記リストへの包含が、前記1つまたは複数の隣接セルが、閉じた加入者グループセル、開いた加入者グループセル、マクロeNB、ホームeNB、またはピコeNBのうちの少なくとも1つであるかどうかに応じて決まる、請求項35に記載の装置。
【請求項３７】
前記処理システムが、前記1つまたは複数の隣接セルの各々から、前記1つまたは複数の隣接セルの各々に対する前記フラクショナル電力制御パラメータを受信するようにさらに構成される、請求項35に記載の装置。
【請求項３８】
ワイヤレス通信のための装置であって、
D2D通信に関与している間にマクロeNBからフラクショナル電力制御パラメータを、UEによって受信することと、
前記UEと前記マクロeNBとの間のパスロス値を加えた前記フラクショナル電力制御パラメータで規定される第1の値が、前記D2D通信に使用される最大電力で規定される第2の値未満であるかどうかを判断することとを行うように構成された処理システムを備える、装置。
【請求項３９】
前記処理システムが、
前記第1の値が前記第2の値未満であるものと判断されないとき、前記D2D通信に対する送信電力レベルを維持するようにさらに構成される、請求項38に記載の装置。
【請求項４０】
前記処理システムが、
前記第1の値が前記第2の値未満であるものと判断されるとき、D2D通信に対する最大送信電力レベルを前記第1の値まで低減するようにさらに構成される、請求項38に記載の装置。
【請求項４１】
前記処理システムが、
前記UEと隣接セルのeNBとの間のパスロス値を加えた前記フラクショナル電力制御パラメータで規定される第3の値が、前記第2の値未満であるかどうかを判断することと、
前記第3の値が前記第2の値未満であるものと判断されないとき、前記D2D通信に対する送信電力レベルを維持すること、または
前記第3の値が前記第2の値未満であるものと判断されるとき、D2D通信に対する最大送信電力レベルを前記第3の値まで低減することとを行うようにさらに構成される、請求項38に記載の装置。
【請求項４２】
前記処理システムが、
1つまたは複数の隣接セルの各々に対するフラクショナル電力制御パラメータを含むリストを受信するようにさらに構成され、
前記第3の値を決定するために使用されるべき前記リストから選択された前記フラクショナル電力制御パラメータが、前記隣接セルのeNBのセル識別子に基づく、請求項41に記載の装置。
【請求項４３】
D2D通信に対する前記送信電力レベルが、前記隣接セルに関連付けられたULサブフレームに対して維持される、請求項41に記載の装置。
【請求項４４】
前記処理システムが、
前記マクロeNBに関連付けられたセル内でD2D通信に使用されるサブフレームが、隣接セル内のDLサブフレームであるものと判断することと、
前記受信されたフラクショナル電力制御パラメータに乗算器を適用して、前記UEと前記マクロeNBとの間のパスロス値を加えた前記フラクショナル電力制御パラメータに対してより小さい値をもたらすこととを行うようにさらに構成される、請求項41に記載の装置。
【請求項４５】
前記フラクショナル電力制御パラメータが、最大パスロス値を減じ、マクロeNBの電力飽和値を加えた、前記マクロeNBのカバレージエリアのエッジにおけるPUCCHの電力を含む、請求項41に記載の装置。
【請求項４６】
コンピュータ可読記録媒体であって、
マクロ発展型ノードB(eNB)の電力飽和値に基づいてフラクショナル電力制御パラメータを生成することと、
デバイス間(D2D)通信に関与する1つまたは複数のユーザ機器(UE)に、送信電力レベルを前記フラクショナル電力制御パラメータに基づく電力レベルより低く維持するように促すために、前記フラクショナル電力制御パラメータをブロードキャストすることとを行うためのコードを含む、コンピュータ可読記録媒体。
【請求項４７】
コンピュータ可読記録媒体であって、
D2D通信に関与している間にマクロeNBからフラクショナル電力制御パラメータを、UEによって受信することと、
前記UEと前記マクロeNBとの間のパスロス値を加えた前記フラクショナル電力制御パラメータで規定される第1の値が、前記D2D通信に使用される最大電力で規定される第2の値未満であるかどうかを判断することとを行うためのコードを含む、コンピュータ可読記録媒体。
【発明の詳細な説明】
【技術分野】
【０００１】
本開示は、一般に、通信システムに関し、より詳細には、電力制御を使用して、デバイス間(D2D)通信に関与するユーザ機器(UE)によるマクロ発展型ノードB(eNB)への潜在的干渉を低減するためのシステムに関する。
【背景技術】
【０００２】
電話、ビデオ、データ、メッセージング、および放送などの様々な遠隔通信サービスを提供するために、ワイヤレス通信システムが広範囲に配備されている。通常のワイヤレス通信システムは、利用可能なシステムリソース(たとえば、帯域幅、送信電力)を共有することによって複数のユーザとの通信をサポートすることが可能な多元接続技術を利用することができる。そのような多元接続技術の例としては、符号分割多元接続(CDMA)システム、時分割多元接続(TDMA)システム、周波数分割多元接続(FDMA)システム、直交周波数分割多元接続(OFDMA)システム、シングルキャリア周波数分割多元接続(SC-FDMA)システム、および時分割同期符号分割多元接続(TD-SCDMA)システムが挙げられる。
【０００３】
ワイヤレス通信システムは、複数のUEと複数のeNBとを含み得る。UEは異なるeNBに関連付けられてよく、eNBは異なるセルに関連付けられてよい。第1のセル内の第1のeNBに関連付けられる第1のUEおよび第2のセル内の第2のeNBに関連付けられる第2のUEは、D2D通信のために割り振られたリソースを使用して互いに直接通信するように動作可能である。隣接セル内のデバイスは、D2D通信のための異なるリソースのセットを割り振られることがある。したがって、異なるeNBに関連付けられたUE間のD2D通信に利用可能なリソースを決定するための方法および装置が望まれる。
【発明の概要】
【課題を解決するための手段】
【０００４】
以下で、1つまたは複数の態様の基本的理解を与えるために、そのような態様の簡略化された概要を提示する。この概要は、すべての企図された態様の包括的な概観ではなく、すべての態様の主要または重要な要素を識別するものでも、いずれかまたはすべての態様の範囲を定めるものでもない。その唯一の目的は、後で提示するより詳細な説明の導入として、1つまたは複数の態様のいくつかの概念を簡略化された形で提示することである。
【０００５】
1つまたは複数の態様およびそれの対応する開示によれば、様々な態様が、電力制御を使用して、D2D通信に関与するUEによるマクロeNBへの潜在的干渉を低減することに関して説明される。一例では、eNBは、マクロeNBの電力飽和値に基づいてフラクショナル電力制御パラメータを生成し、D2D通信に関与する任意のUEに、送信電力レベルをフラクショナル電力制御パラメータに基づく電力レベルより低く維持するように促すために、フラクショナル電力制御パラメータをブロードキャストするように動作可能であり得る。UEは、フラクショナル電力制御パラメータを受信し、UEとマクロeNBとの間のパスロス値を加えたフラクショナル電力制御パラメータが、D2D通信に使用される最大電力未満であるかどうかを判断するように装備され得る。UEは、UEとマクロeNBとの間のパスロス値を加えたフラクショナル電力制御パラメータが、D2D通信に使用される最大電力未満であるとき、D2D通信に使用される最大送信電力を低減できる。
【０００６】
関連する態様によれば、電力制御を使用して、D2D通信に関与するUEによるマクロeNBへの潜在的干渉を低減するための方法が提供される。方法は、マクロeNBの電力飽和値に基づいてフラクショナル電力制御パラメータを生成するステップを含み得る。その上、方法は、D2D通信に関与する1つまたは複数のUEに、送信電力レベルをフラクショナル電力制御パラメータに基づく電力レベルより低く維持するように促すために、フラクショナル電力制御パラメータをブロードキャストするステップを含み得る。
【０００７】
別の態様は、ワイヤレス通信装置に関する。ワイヤレス通信装置は、マクロeNBの電力飽和値に基づいてフラクショナル電力制御パラメータを生成するための手段を含み得る。その上、ワイヤレス通信装置は、D2D通信に関与する1つまたは複数のUEに、送信電力レベルをフラクショナル電力制御パラメータに基づく電力レベルより低く維持するように促すために、フラクショナル電力制御パラメータをブロードキャストするための手段を含み得る。
【０００８】
別の態様は、ワイヤレス通信装置に関する。装置は、マクロeNBの電力飽和値に基づいてフラクショナル電力制御パラメータを生成するように構成された処理システムを含み得る。その上、処理システムは、D2D通信に関与する1つまたは複数のUEに、送信電力レベルをフラクショナル電力制御パラメータに基づく電力レベルより低く維持するように促すために、フラクショナル電力制御パラメータをブロードキャストするように構成され得る。
【０００９】
別の態様は、マクロeNBの電力飽和値に基づいてフラクショナル電力制御パラメータを生成するためのコードを含むコンピュータ可読媒体を有し得るコンピュータプログラム製品に関する。その上、コンピュータ可読媒体は、D2D通信に関与する1つまたは複数のUEに、送信電力レベルをフラクショナル電力制御パラメータに基づく電力レベルより低く維持するように促すために、フラクショナル電力制御パラメータをブロードキャストするためのコードを含み得る。
【００１０】
別の関連する態様によれば、電力制御を使用して、D2D通信に関与するUEによるマクロeNBへの潜在的干渉を低減するための方法が提供される。方法は、D2D通信に関与している間にマクロeNBからフラクショナル電力制御パラメータを、UEによって受信するステップを含み得る。その上、方法は、UEとマクロeNBとの間のパスロス値を加えたフラクショナル電力制御パラメータで規定される第1の値が、D2D通信に使用される最大電力で規定される第2の値未満であるかどうかを判断するステップを含み得る。
【００１１】
別の態様は、ワイヤレス通信装置に関する。ワイヤレス通信装置は、D2D通信に関与している間にマクロeNBからフラクショナル電力制御パラメータを、UEによって受信するための手段を含み得る。その上、ワイヤレス通信装置は、UEとマクロeNBとの間のパスロス値を加えたフラクショナル電力制御パラメータで規定される第1の値が、D2D通信に使用される最大電力で規定される第2の値未満であるかどうかを判断するための手段を含み得る。
【００１２】
別の態様は、ワイヤレス通信装置に関する。装置は、D2D通信に関与している間にマクロeNBからフラクショナル電力制御パラメータを受信するように構成された処理システムを含み得る。その上、処理システムは、UEとマクロeNBとの間のパスロス値を加えたフラクショナル電力制御パラメータで規定される第1の値が、D2D通信に使用される最大電力で規定される第2の値未満であるかどうかを判断するように構成され得る。
【００１３】
別の態様は、D2D通信に関与している間にマクロeNBからフラクショナル電力制御パラメータを、UEによって受信するためのコードを含むコンピュータ可読媒体を有し得るコンピュータプログラム製品に関する。その上、コンピュータ可読媒体は、UEとマクロeNBとの間のパスロス値を加えたフラクショナル電力制御パラメータで規定される第1の値が、D2D通信に使用される最大電力で規定される第2の値未満であるかどうかを判断するためのコードを含み得る。
【００１４】
上記のおよび関連の目的の達成のために、1つまたは複数の態様は、以下で十分に説明し、特許請求の範囲で具体的に指摘する特徴を含む。以下の説明および添付の図面は、1つまたは複数の態様のいくつかの例示的な特徴を詳細に説明する。しかしながら、これらの特徴は、様々な態様の原理が利用され得る様々な方法のうちのいくつかを示すものにすぎず、この説明は、そのようなすべての態様およびそれらの等価物を含むものとする。
【図面の簡単な説明】
【００１５】
【図１】ネットワークアーキテクチャの一例を示す図である。
【図２】アクセスネットワークの一例を示す図である。
【図３】LTEにおけるDLフレーム構造の一例を示す図である。
【図４】ユーザプレーンおよび制御プレーンの無線プロトコルアーキテクチャの一例を示す図である。
【図５】ワイヤレスデバイス間のピアツーピア通信のための例示的な時間構造を示す図である。
【図６】1つのグランドフレームにおけるスーパーフレームの各フレームにおけるチャネルを示す図である。
【図７】種々のチャネルの動作タイムライン、および、ピア発見チャネルの構造を示す図である。
【図８】種々のチャネルの動作タイムライン、および接続識別子ブロードキャストの構造を示す図である。
【図９】アクセスネットワーク中の発展型ノードBおよびユーザ機器の一例を示す図である。
【図１０】一態様に従ってD2D通信が実行され得るアクセスネットワークの一例を示す図である。
【図１１】一態様による、アクセスネットワークにおける通信の呼フロー図である。
【図１２】ワイヤレス通信の方法のフローチャートである。
【図１３】例示的な装置における異なるモジュール/手段/構成要素間のデータフローを示す概念データフロー図である。
【図１４】処理システムを使用する装置のためのハードウェア実装の一例を示す図である。
【図１５】ワイヤレス通信の方法のフローチャートである。
【図１６】例示的な装置における異なるモジュール/手段/構成要素間のデータフローを示す概念データフロー図である。
【図１７】処理システムを使用する装置のためのハードウェア実装の一例を示す図である。
【発明を実施するための形態】
【００１６】
添付の図面に関する下記の詳細な説明は、様々な構成の説明として意図されており、本明細書で説明される概念が実行され得る唯一の構成を表すことは意図されていない。詳細な説明は、様々な概念の完全な理解をもたらす目的で、具体的な詳細を含んでいる。しかし、これらの概念がこれらの具体的な詳細なしに実行され得ることが、当業者には明らかであろう。場合によっては、そのような概念を曖昧にするのを回避する目的で、周知の構造および構成要素がブロック図の形式で示されている。
【００１７】
次に、電気通信システムのいくつかの態様を、様々な装置および方法を参照して提示する。これらの装置および方法は、以下の発明を実施するための形態で説明され、様々なブロック、モジュール、構成要素、回路、ステップ、プロセス、アルゴリズムなど(「要素」と総称される)によって添付の図面に示される。これらの要素は、電子ハードウェア、コンピュータソフトウェア、またはそれらの任意の組合せを使用して実装することができる。そのような要素をハードウェアとして実装するか、またはソフトウェアとして実装するかは、特定の用途およびシステム全体に課される設計制約に依存する。
【００１８】
例として、要素または要素の任意の部分または要素の任意の組合せを、1つまたは複数のプロセッサを含む「処理システム」で実装することができる。プロセッサの例として、マイクロプロセッサ、マイクロコントローラ、デジタル信号プロセッサ(DSP)、フィールドプログラマブルゲートアレイ(FPGA)、プログラマブル論理デバイス(PLD)、状態機械、ゲート論理、個別ハードウェア回路、および本開示全体にわたって説明される様々な機能を実行するように構成された他の適切なハードウェアがある。処理システム内の1つまたは複数のプロセッサは、ソフトウェアを実行することができる。ソフトウェアは、ソフトウェア、ファームウェア、ミドルウェア、マイクロコード、ハードウェア記述言語と呼ばれるか、または他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【００１９】
したがって、1つまたは複数の例示的な実施形態では、説明する機能は、ハードウェア、ソフトウェア、ファームウェア、またはそれらの任意の組合せで実装され得る。ソフトウェアで実装される場合、機能は、1つまたは複数の命令またはコードとしてコンピュータ可読媒体上に記憶されるか、または符号化され得る。コンピュータ可読媒体は、コンピュータ記憶媒体を含む。記憶媒体は、コンピュータによってアクセスされ得る任意の利用可能な媒体であり得る。限定ではなく例として、そのようなコンピュータ可読媒体は、RAM、ROM、EEPROM、CD-ROMもしくは他の光ディスクストレージ、磁気ディスクストレージもしくは他の磁気ストレージデバイス、または、命令またはデータ構造の形態の所望のプログラムコードを搬送または記憶するために使用でき、かつコンピュータによってアクセスできる、任意の他の媒体を含み得る。本明細書で使用する場合、ディスク(disk)およびディスク(disc)は、コンパクトディスク(CD)、レーザーディスク(登録商標)、光ディスク、デジタル多用途ディスク(DVD)、フロッピー(登録商標)ディスク、およびブルーレイディスクを含み、ディスク(disk)は、通常、磁気的にデータを再生し、ディスク(disc)は、レーザーで光学的にデータを再生する。上記の組合せもコンピュータ可読媒体の範囲内に含めるべきである。
【００２０】
図1は、LTEネットワークアーキテクチャ100を示す図である。LTEネットワークアーキテクチャ100は、発展型パケットシステム(EPS)100と呼ばれることがある。EPS 100は、1つまたは複数のユーザ機器(UE)102と、発展型UMTS地上波無線アクセスネットワーク(E-UTRAN)104と、発展型パケットコア(EPC)110と、ホーム加入者サーバ(HSS)120と、事業者のIPサービス122とを含み得る。EPSは、他のアクセスネットワークと相互接続する可能性があるが、簡単にするために、それらのエンティティ/インターフェースは示していない。図示のように、EPSはパケット交換サービスを提供するが、当業者なら容易に諒解するように、本開示の全体を通して提示する様々な概念は、回線交換サービスを提供するネットワークに拡張することができる。
【００２１】
E-UTRANは、発展型ノードB(eNB)106および他のeNB 108を含む。eNB 106は、UE 102に対してユーザプレーンプロトコル終端と制御プレーンプロトコル終端とを与える。eNB 106は、X2インターフェース(たとえば、バックホール)を介して他のeNB 108に接続され得る。eNB 106は、基地局、トランシーバ基地局、無線基地局、無線トランシーバ、トランシーバ機能、基本サービスセット(BSS)、拡張サービスセット(ESS)と呼ばれるか、または他の何らかの適切な用語で呼ばれることもある。eNB 106は、UE 102にEPC 110へのアクセスポイントを与える。UE 102の例としては、セルラーフォン、スマートフォン、セッション開始プロトコル(SIP)フォン、ラップトップ、携帯情報端末(PDA)、衛星無線、全地球測位システム、マルチメディアデバイス、ビデオデバイス、デジタルオーディオプレーヤ(たとえば、MP3プレーヤ)、カメラ、ゲームコンソール、または同様に機能する任意の他のデバイスが挙げられる。UE 102は、当業者によって、移動局、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントと呼ばれるか、または他の何らかの適切な用語で呼ばれることもある。
【００２２】
eNB 106は、S1インターフェースによってEPC 110に接続される。EPC 110は、モビリティ管理エンティティ(MME)112、他のMME 114、サービングゲートウェイ116、およびパケットデータネットワーク(PDN)ゲートウェイ118を含む。MME 112は、UE 102とEPC 110との間のシグナリングを処理する制御ノードである。一般に、MME 112は、ベアラおよび接続管理を提供する。すべてのユーザIPパケットは、サービングゲートウェイ116を介して転送され、サービングゲートウェイ116自体は、PDNゲートウェイ118に接続される。PDNゲートウェイ118は、UE IPアドレス割振りならびに他の機能を提供する。PDNゲートウェイ118は、事業者のIPサービス122に接続される。オペレータのIPサービス122は、インターネット、イントラネット、IPマルチメディアサブシステム(IMS)、およびPSストリーミングサービス(PSS)を含み得る。
【００２３】
図2は、LTEネットワークアーキテクチャにおけるアクセスネットワーク200の一例を示す図である。この例では、アクセスネットワーク200は、いくつかのセルラー領域(セル)202に分割される。1つまたは複数の低電力クラスeNB 208は、セル202のうちの1つまたは複数と重なるセルラー領域210を有することができる。低電力クラスeNB 208はリモート無線ヘッド(RRH)と呼ぶことができる。低電力クラスeNB 208は、フェムトセル(たとえば、ホームeNB(HeNB))、ピコセル、またはマイクロセルとすることができる。マクロeNB 204は各々、それぞれのセル202に割り当てられ、セル202中のすべてのUE 206にEPC 110へのアクセスポイントを提供するように構成される。アクセスネットワーク200のこの例では集中型コントローラはないが、代替構成では集中型コントローラが使用されてもよい。eNB 204は、無線ベアラ制御、アドミッション制御、モビリティ制御、スケジューリング、セキュリティ、およびサービングゲートウェイ116への接続性を含めた、すべての無線関連機能を担う。
【００２４】
さらに、ワイヤレスデバイス206、212、216、218のうちのいくつかは、ピアツーピア通信214で互いに通信することができ、いくつかは、基地局204と通信することができ、かついくつかは、両方を行うことができる。たとえば、図2に示すように、ワイヤレスデバイス216、218はピアツーピア通信214を行うことができ、かつワイヤレスデバイス206、212はピアツーピア通信214を行うことができる。ワイヤレスデバイス206、212は、基地局204とも通信することができる。
【００２５】
アクセスネットワーク200によって用いられる変調方式および多元接続方式は、導入されている特定の電気通信規格に応じて異なり得る。LTE適用例では、DL上ではOFDMが使用され、かつUL上ではSC-FDMAが使用されて、周波数分割複信(FDD)と時分割複信(TDD)の両方がサポートされる。当業者なら以下の詳細な説明から容易に諒解するように、本明細書で提示する様々な概念は、LTE適用例に好適である。しかし、これらの概念は、他の変調技法および多元接続技法を利用する他の電気通信規格に容易に拡張することができる。例として、これらの概念は、エボリューションデータオプティマイズド(EV-DO)またはウルトラモバイルブロードバンド(UMB)に拡張することができる。EV-DOおよびUMBは、CDMA2000規格ファミリの一部として第3世代パートナーシッププロジェクト2(3GPP2)によって公表されたエアインターフェース規格であり、CDMAを利用してブロードバンドインターネットアクセスを移動局に提供する。これらの概念はまた、広帯域CDMA(W-CDMA)およびTD-SCDMAなどのCDMAの他の変形形態を採用するUniversal Terrestrial Radio Access(UTRA)、TDMAを採用するGlobal System for Mobile Communications(GSM(登録商標))、ならびにOFDMAを採用するEvolved UTRA(E-UTRA)、IEEE 802.11(Wi-Fi)、IEEE 802.16(WiMAX)、IEEE 802.20、およびFlash-OFDMに拡張され得る。UTRA、E-UTRA、UMTS、LTE、およびGSM(登録商標)は、3GPP団体による文書に記述されている。CDMA2000およびUMBは、3GPP2団体による文書に記述されている。実際の利用されるワイヤレス通信規格、および多元接続技術は、具体的な用途およびシステムに課される全体的な設計制約に依存する。
【００２６】
eNB 204は、MIMO技術をサポートする複数のアンテナを有し得る。MIMO技術の使用により、eNB 204は空間領域を活用して、空間多重化、ビームフォーミング、および送信ダイバーシティをサポートすることができる。空間多重化を使用して、同じ周波数で同時に様々なデータストリームを送信することができる。データストリームを単一のUE 206に送信してデータレートを増大させることができ、または、複数のUE 206に送信して全体的なシステム容量を増大させることができる。これは、各データストリームを空間的にプリコーディングし(すなわち、振幅および位相のスケーリングを適用し)、次いで、空間的にプリコーディングされた各ストリームをDL上で複数の送信アンテナを介して送信することによって、達成される。空間的にプリコーディングされたデータストリームは、異なる空間シグネチャとともにUE 206に到達し、これにより、UE 206の各々は、そのUE 206に向けられた1つまたは複数のデータストリームを回復することができる。UL上では、各UE 206は、空間的にプリコーディングされたデータストリームを送信し、これにより、eNB 204は、空間的にプリコーディングされた各データストリームのソースを識別することができる。
【００２７】
空間多重化は、一般に、チャネル条件が良いときに使用される。チャネル条件があまり良好でないときは、ビームフォーミングを使用して、送信エネルギーを1つまたは複数の方向に集中させることができる。これは、複数のアンテナを介して送信するためにデータを空間的にプリコーディングすることによって達成することができる。セルのエッジで良いカバレージを達成するために、単一ストリームのビームフォーミング送信を、送信ダイバーシティと組み合わせて使用することができる。
【００２８】
以下の詳細な説明では、アクセスネットワークの様々な態様について、DL上でOFDMをサポートするMIMOシステムを参照しながら説明する。OFDMは、OFDMシンボル内でいくつかのサブキャリアにわたってデータを変調するスペクトル拡散技法である。サブキャリアは、正確な周波数で間隔があけられる。離間は、受信機がサブキャリアからのデータを回復することを可能にする「直交性」をもたらす。時間領域では、ガード間隔(たとえば、サイクリックプレフィックス)を各OFDMシンボルに加えて、OFDMシンボル間干渉を抑制することができる。ULは、SC-FDMAをDFT拡散OFDM信号の形で使用して、高いピーク対平均電力比(PAPR)を補償することができる。
【００２９】
図3は、LTEにおけるDLフレーム構造の一例を示す図300である。フレーム(10ms)は、等しいサイズの10個のサブフレームに分割され得る。各サブフレームは、連続する2つのタイムスロットを含むことができる。リソースグリッドを使用して2つのタイムスロットを表すことができ、各タイムスロットはリソースブロックを含む。リソースグリッドは、複数のリソース要素に分割される。LTEでは、リソースブロックは、周波数領域における連続する12個のサブキャリアを含み、また、各OFDMシンボル中の通常のサイクリックプレフィックスの場合、時間領域における連続する7つのOFDMシンボル、すなわち84個のリソース要素を含む。拡張サイクリックプレフィックスの場合、リソースブロックは、時間領域における連続する6つのOFDMシンボルを含み、72個のリソース要素を有する。R 302、304として示す、リソース要素のうちのいくつかは、DL基準信号(DL-RS)を含む。DL-RSは、セル固有RS(CRS)(共通RSと呼ばれることもある)302およびUE固有RS(UE-RS)304を含む。UE-RS 304は、対応する物理DL共有チャネル(PDSCH)のマッピング先であるリソースブロック上のみで送信される。各リソース要素によって搬送されるビットの数は、変調方式に依存する。したがって、UEが受信するリソースブロックが多いほど、および変調方式が高いほど、UEのデータレートは高くなる。
【００３０】
図4は、LTEにおけるユーザプレーンおよび制御プレーンの無線プロトコルアーキテクチャの一例を示す図400である。UEおよびeNBの無線プロトコルアーキテクチャは、レイヤ1、レイヤ2、およびレイヤ3という3つのレイヤで示される。レイヤ1(L1レイヤ)は、最下位レイヤであり、様々な物理レイヤ信号処理機能を実施する。本明細書では、L1レイヤは物理レイヤ406と呼ばれる。レイヤ2(L2レイヤ)408は、物理レイヤ406の上にあり、物理レイヤ406を介したUEとeNBとの間のリンクを担う。
【００３１】
ユーザプレーンでは、L2レイヤ408は、媒体アクセス制御(MAC)サブレイヤ410、無線リンク制御(RLC)サブレイヤ412、およびパケットデータコンバージェンスプロトコル(PDCP)サブレイヤ414を含み、これらは、ネットワーク側のeNBにおいて終端する。図示されていないが、UEは、L2レイヤ408の上にいくつかの上位レイヤを有することができ、これらは、ネットワーク側のPDNゲートウェイ118において終端するネットワークレイヤ(たとえば、IPレイヤ)と、接続の他端(たとえば、遠端UE、サーバなど)において終端するアプリケーションレイヤとを含む。
【００３２】
PDCPサブレイヤ414は、異なる無線ベアラと論理チャネルとの間の多重化を行う。PDCPサブレイヤ414は、無線送信のオーバーヘッドを低減するための上位レイヤのデータパケットのヘッダ圧縮、データパケットを暗号化することによるセキュリティ、およびeNB間のUEのハンドオーバのサポートも提供する。RLCサブレイヤ412は、上位層のデータパケットのセグメント化および再構築、失われたデータパケットの再送信、ならびに、ハイブリッド自動再送要求(HARQ)による順序の狂った受信を補償するためのデータパケットの再順序付けを行う。MACサブレイヤ410は、論理チャネルとトランスポートチャネルとの間の多重化を行う。MACサブレイヤ410はまた、1つのセルの中の様々な無線リソース(たとえばリソースブロック)の複数のUEへの割り当てを担う。MACサブレイヤ410はまた、HARQ動作も担う。
【００３３】
制御プレーンでは、UEおよびeNBの無線プロトコルアーキテクチャは、制御プレーンのヘッダ圧縮機能がないことを除いて、物理レイヤ406およびL2レイヤ408に関して実質的に同じである。制御プレーンはまた、レイヤ3(L3レイヤ)中に無線リソース制御(RRC)サブレイヤ416を含む。RRCサブレイヤ416は、無線リソース(すなわち、無線ベアラ)を取得すること、およびeNBとUEとの間のRRCシグナリングを使用して下位レイヤを構成することを担う。
【００３４】
図5は、ワイヤレスデバイス間のピアツーピア通信のための例示的な時間構造を示す図500である。ウルトラフレームは、512秒であり、64のメガフレームを含む。各メガフレームは、8秒であり、8のグランドフレームを含む。各グランドフレームは、1秒であり、15のスーパーフレームを含む。各スーパーフレームは、約66.67ミリ秒であり、32のフレームを含む。各フレームは、2.0833msである。
【００３５】
図6は、1つのグランドフレームにおけるスーパーフレームの各フレームにおけるチャネルを示す図600である。第1のスーパーフレーム(インデックス0)において、フレーム0は、予約チャネル(RCH)であり、フレーム1〜10は各々、種々のチャネル(MCCH)であり、フレーム11〜31は各々、トラフィックチャネル(TCCH)である。第2〜第7のスーパーフレーム(インデックス1:6)において、フレーム0はRCHであり、フレーム1〜31は各々TCCHである。第8のスーパーフレーム(インデックス7)において、フレーム0はRCHであり、フレーム1〜10は各々MCCHであり、フレーム11〜31は各々TCCHである。第9〜第15のスーパーフレーム(インデックス8:14)において、フレーム0はRCHであり、フレーム1〜31は各々TCCHである。スーパーフレームインデックス0のMCCHは、2次タイミング同期チャネル、ピア発見チャネル、ピアページチャネル、および予約スロットを含む。スーパーフレームインデックス7のMCCHは、ピアページチャネルおよび予約スロットを含む。TCCHは、接続スケジューリング、パイロット、チャネル品質インジケータ(CQI)フィードバック、データセグメント、および肯定応答(ACK)を含む。
【００３６】
図7は、MCCHの動作タイムライン、および、ピア発見チャネルの例示的な構造を示す図700である。図6に関連して説明したように、スーパーフレームインデックス0のMCCHは、2次タイミング同期チャネル、ピア発見チャネル、ピアページングチャネル、および予約スロットを含む。ピア発見チャネルは、サブチャネルに分割されてよい。たとえば、ピア発見チャネルは、遠距離ピア発見チャネル、中距離ピア発見チャネル、短距離ピア発見チャネル、および他のチャネルに分割されてよい。サブチャネルの各々は、ピア発見情報を通信するための複数のブロック/リソースを含むことができる。各ブロックは、同じサブキャリアに複数の直交周波数分割多重(OFDM)シンボル(たとえば、72)を含むことができる。図7は、グランドフレーム0〜7のMCCHスーパーフレームインデックス0を含む、1つのメガフレーム内のブロックを含むサブチャネル(たとえば、短距離ピア発見チャネル)の一例を提供する。ブロックの異なるセットは、異なるピア発見リソース識別子(PDRID)に対応する。たとえば、1つのPDRIDは、メガフレーム内の1つのグランドフレームのMCCHスーパーフレームインデックス0内のブロックのうちの1つに対応してよい。
【００３７】
電源投入時に、ワイヤレスデバイスは、ある期間(たとえば、2メガフレーム)中、ピア発見チャネルをリッスンし、PDRIDの各々に対して決定されたエネルギーに基づいて、PDRIDを選択する。たとえば、ワイヤレスデバイスは、ウルトラフレームの第1のメガフレーム内のブロック702(i=2およびj=15)に対応するPDRIDを選択することができる。特定のPDRIDは、ホッピングにより、ウルトラフレームの他のメガフレーム内の他のブロックにマッピングすることができる。選択されたPDRIDに関連付けられたブロックで、ワイヤレスデバイスは、そのピア発見信号を送信する。選択されたPDRIDに関連付けられていないブロックでは、ワイヤレスデバイスは、他のワイヤレスデバイスによって送信されたピア発見信号をリッスンする。
【００３８】
ワイヤレスデバイスは、ワイヤレスデバイスがPDRIDの衝突を検出した場合、PDRIDを再選択することもできる。すなわち、ワイヤレスデバイスは、そのPDRIDに対応するピア発見リソースに対するエネルギーを検出するために、その利用可能なピア発見リソース上で、送信するのではなく、リッスンすることができる。ワイヤレスデバイスは、他のPDRIDに対応する他のピア発見リソースに対するエネルギーを検出することもできる。ワイヤレスデバイスは、そのPDRIDに対応するピア発見リソースに対する決定されたエネルギー、および、他のPDRIDに対応する他のピア発見リソースに対する検出されたエネルギーに基づいて、PDRIDを再選択することができる。
【００３９】
図8は、MCCHの動作タイムライン、および接続識別子(CID)ブロードキャストの構造を示す図800である。図6に関して説明したように、スーパーフレームインデックス0のMCCHは、2次タイミング同期チャネル、ピア発見チャネル、ピアページングチャネル、および予約スロットを含む。スーパーフレームインデックス0のMCCHのピアページングチャネルは、クイックページングチャネル、CIDブロードキャストチャネル、およびページ要求チャネルを含む。スーパーフレームインデックス7のMCCHは、ピアページングチャネルおよび予約スロットを含む。スーパーフレームインデックス7のMCCHのピアページングチャネルは、ページ応答チャネル、およびページ確認チャネルを含む。CIDブロードキャストチャネルは、新しい接続に対するCIDの割振りのための分散プロトコルを提供し、CID衝突検出のための機構を提供し、通信ピアとのそのリンク結合がまだ存在するというワイヤレスデバイスの証拠を提供する。
【００４０】
CIDブロードキャストの構造は、4つのブロックから成り、その各々は、複数のリソース要素、すなわち、周波数領域における複数のサブキャリア、および時間領域におけるOFDMシンボルを含む。4つのブロックの各々は、複数のサブキャリア(たとえば、28のサブキャリア)にわたり、16のOFDMシンボルを含む。1つのリソース要素(またはトーン)は、1つのサブキャリアおよび1つのOFDMシンボルに対応する。
【００４１】
各CIDについて、隣接するOFDMシンボルにおける1対のリソース要素は、4つのブロックの各々においてCIDブロードキャストのために割り振られる。1対の隣接するリソース要素において、第1のリソース要素は、TCCHで送信するために使用される電力に比例するエネルギーを運び、第2のリソース要素は、TCCHで受信される電力に反比例するエネルギーを運ぶ。所与のCIDについて、リソース要素の各対は、各グランドフレームを変えるブロック内の固定のOFDMシンボル位置および変化するサブキャリアを有する。任意の所与のリンクにおいて、リンクを開始したワイヤレスデバイスは、CIDブロードキャストのためにブロック0およびブロック2からブロックをランダムに選択し、リンクの他のワイヤレスデバイスは、CIDブロードキャストのためにブロック1およびブロック3からブロックをランダムに選択する。したがって、特定のCIDでは、割り振られたリソースの半分のみが、そのCIDとのリンクによって利用される。ブロックのランダムな選択のために、第2のワイヤレスデバイスとリンクする第1のワイヤレスデバイスは、異なるリンクにおける第3のワイヤレスデバイスまたは第4のワイヤレスデバイスが第1のワイヤレスデバイスまたは第2のワイヤレスデバイスによって選択されるブロックとは異なるブロックを使用してCIDブロードキャストを送信するとき、CID衝突を検出することができる。
【００４２】
図9は、アクセスネットワーク中でUE 950と通信しているeNB 910のブロック図である。DLでは、コアネットワークからの上位層パケットが、コントローラ/プロセッサ975に与えられる。コントローラ/プロセッサ975は、L2層の機能を実装する。DLでは、コントローラ/プロセッサ975は、ヘッダ圧縮、暗号化、パケットのセグメント化および並べ替え、論理チャネルとトランスポートチャネルとの間の多重化、ならびに、様々な優先度メトリックに基づくUE 950への無線リソース割振りを行う。コントローラ/プロセッサ975はまた、HARQ動作、紛失したパケットの再送、およびUE 950へのシグナリングを担う。
【００４３】
送信(TX)プロセッサ916は、L1層(すなわち、物理層)のための様々な信号処理機能を実装する。これらの信号処理機能は、UE 950における順方向誤り訂正(FEC)を容易にするための符号化およびインタリービングと、様々な変調方式(たとえば、2値位相シフトキーイング(BPSK)、直交位相シフトキーイング(QPSK)、M位相シフトキーイング(M-PSK)、M直交振幅変調(M-QAM))に基づく信号コンスタレーションへのマッピングとを含む。次いで、符号化され変調されたシンボルは、並列ストリームに分割される。次いで、各ストリームは、OFDMサブキャリアにマッピングされ、時間および/または周波数領域で基準信号(たとえば、パイロット)と多重化され、次いで逆高速フーリエ変換(IFFT)を使用して一緒に結合されて、時間領域OFDMシンボルストリームを搬送する物理チャネルが生成される。OFDMストリームは、空間的にプリコーディングされて、複数の空間ストリームが生成される。チャネル推定器974からのチャネル推定値を、符号化変調方式の決定ならびに空間処理に使用することができる。チャネル推定値は、UE 950によって送信された基準信号および/またはチャネル条件フィードバックから導出することができる。次いで、各空間ストリームは、別個の送信機918TXを介して異なるアンテナ920に与えられる。各送信機918TXは、送信用のそれぞれの空間ストリームによってRF搬送波を変調する。
【００４４】
UE 950において、各受信機954RXは、それぞれのアンテナ952を介して信号を受信する。各受信機954RXは、RFキャリア上に変調された情報を回復し、情報を受信(RX)プロセッサ956に与える。RXプロセッサ956は、L1レイヤの様々な信号処理機能を実装する。RXプロセッサ956は、情報に対して空間処理を実行して、UE 950に向けられたあらゆる空間ストリームを回復する。複数の空間ストリームがUE 950に向けられている場合、これらをRXプロセッサ956によって単一のOFDMシンボルストリームに結合することができる。次いで、RXプロセッサ956は、高速フーリエ変換(FFT)を使用して、OFDMシンボルストリームを時間領域から周波数領域に変換する。周波数領域信号は、OFDM信号の各サブキャリアについて別個のOFDMシンボルストリームを含む。各サブキャリア上のシンボル、および基準信号は、eNB 910によって送信された最も可能性の高い信号コンスタレーションポイントを決定することによって、回復され復調される。これらの軟判定は、チャネル推定器958によって計算されたチャネル推定値に基づくことができる。次いで、軟判定は復号されデインタリーブされて、物理チャネル上でeNB 910によって元々送信されたデータおよび制御信号が回復される。次いで、データおよび制御信号は、コントローラ/プロセッサ959に与えられる。
【００４５】
コントローラ/プロセッサ959は、L2レイヤを実装する。コントローラ/プロセッサは、プログラムコードおよびデータを記憶するメモリ960に関連付けられ得る。メモリ960は、コンピュータ可読媒体と呼ぶことができる。ULでは、コントローラ/プロセッサ959は、トランスポートチャネルと論理チャネルとの間の逆多重化、パケット再アセンブリ、暗号化解除、ヘッダ圧縮解除、制御信号処理を行って、コアネットワークからの上位レイヤパケットを回復する。次いで、上位レイヤパケットはデータシンク962に与えられ、データシンク962は、L2レイヤの上のすべてのプロトコルレイヤを表す。様々な制御信号も、L3処理のためにデータシンク962に与えられ得る。コントローラ/プロセッサ959はまた、HARQ動作をサポートするために、肯定応答(ACK)および/または否定応答(NACK)プロトコルを使用した誤り検出を担う。
【００４６】
ULでは、データソース967を使用して、上位レイヤパケットがコントローラ/プロセッサ959に与えられる。データソース967は、L2レイヤの上のすべてのプロトコルレイヤを表す。eNB 910によるDL送信に関して説明した機能と同様に、コントローラ/プロセッサ959は、ヘッダ圧縮、暗号化、パケットのセグメント化および並べ替え、ならびに、eNB 910による無線リソース割振りに基づく論理チャネルとトランスポートチャネルとの間の多重化を行うことによって、ユーザプレーンおよび制御プレーンのL2レイヤを実装する。コントローラ/プロセッサ959はまた、HARQ動作、紛失したパケットの再送、およびeNB 910へのシグナリングを担う。
【００４７】
eNB 910によって送信された基準信号またはフィードバックからチャネル推定器958によって導出されたチャネル推定値を、TXプロセッサ968によって使用して、適切な符号化変調方式を選択し、空間処理を容易にすることができる。TXプロセッサ968によって生成された空間ストリームは、別個の送信機954TXを介して、異なるアンテナ952に与えられる。各送信機954TXは、送信用のそれぞれの空間ストリームによってRF搬送波を変調する。
【００４８】
UL送信は、eNB 910において、UE 950における受信機機能に関して説明した方法と同様の方法で処理される。各受信機918RXは、それぞれのアンテナ920を介して信号を受信する。各受信機918RXは、RF搬送波上に変調された情報を回復し、この情報をRXプロセッサ970に与える。RXプロセッサ970は、L1レイヤを実装することができる。
【００４９】
コントローラ/プロセッサ975は、L2レイヤを実装する。コントローラ/プロセッサ975は、プログラムコードおよびデータを記憶するメモリ976に関連付けられ得る。メモリ976は、コンピュータ可読媒体と呼ぶことができる。ULでは、コントローラ/プロセッサ975は、トランスポートチャネルと論理チャネルとの間の多重化解除、パケット再アセンブリ、暗号化解除、ヘッダ圧縮解除、制御信号処理を行って、UE 950からの上位レイヤパケットを回復する。コントローラ/プロセッサ975からの上位レイヤパケットは、コアネットワークに与えられ得る。コントローラ/プロセッサ975はまた、HARQ動作をサポートするために、ACKおよび/またはNACKプロトコルを使用した誤り検出を担う。
【００５０】
図10は、複数のユーザ機器(UE)(1002、1006、1008)、および複数の発展型ノードB(たとえば、マクロeNB 1102、1つまたは複数の隣接セルeNB)を含むワイヤレス通信ネットワーク1000を示す。
【００５１】
UE(1002、1006、1008)は、eNB(1004)に関連付けられてよく、かつ/またはD2D通信1012を介して互いに直接関連付けられてもよい。eNB(1004、1016)は、異なるセルに関連付けられてよい。図示された態様では、UE 1002は、マクロeNB 1004のカバレージエリア1001内にあり、eNB 1004からブロードキャスト1010を受信できる。さらに、UE 1002は、D2D通信1012を介してUE 1006に直接関連付けられ得る。隣接セル内のデバイスは、D2D通信のために異なるリソースのセットを割り振られてもよい。UEとマクロeNB 1004との間の通信のためにスペクトルリソースの少なくとも一部分が使用されるアップリンク(UL)サブフレーム上で、マクロeNB 1004に近接するUE(たとえば、UE 1002)は、マクロeNB 1004と通信1014するためにレガシーUE 1008によって使用するためのマクロeNB 1004の物理アップリンク制御チャネル(PUCCH)を保護するために、それらのデータ送信電力を低減できる。
【００５２】
動作中、eNB 1004は、D2D通信1012に使用するための最大送信電力を決定するためにイネーブルされたUE(たとえば、UE 1002、1006)が処理できるフラクショナル電力制御パラメータをブロードキャストできる。別の随意の態様では、1つまたは複数の隣接eNB 1016は、それぞれ、eNB 1004によるブロードキャスト1010のためにフラクショナル電力制御パラメータ1018を伝達できる。マクロeNBの電力飽和値が65dBである例示的な一態様では、非PUCCH RB上でUEが送信するときにPUCCHを復号するのに必要なマージンは、式(1)で定義され得る。
Max. Power=PPUCCH,edge-PLmax+65+PL      (1)
【００５３】
一態様では、eNB 1004は、式(2)を使用して式(1)からフラクショナル電力制御パラメータ(x)を生成できる。
x={(PPUCCH,edge-PLmax+65)      (2)
【００５４】
したがって、D2D通信1012に関与するUE 1002、1006からの、eNB 1004と1つまたは複数のレガシーUE 1008との間の潜在的干渉を低減するために、フラクショナル電力制御パラメータが使用され得る、ワイヤレス通信環境1000が説明される。
【００５５】
図11は、eNB 1102と、D2D通信に関与するように動作可能な複数のUE(1104、1106)とを含むワイヤレス通信システム1100の例示的な呼フロー図を示す。さらに、システム1100は、マクロeNB 1102の閾パスゲイン内にあり、D2D通信に関与するUEによる使用のためにフラクショナル電力制御パラメータを与えるように動作可能である。
【００５６】
行為1108で、UE(1104、1106)は、直接D2D通信に関与できる。行為1110で、マクロeNB 1102は、UE(1) 1104がマクロeNB 1102の閾パスゲイン内にあることを検出できる。一態様では、閾値に使用されるパスゲイン値は動的であってよく、UE(1) 1104から知覚される送信電力レベルの少なくとも一部分に依存することがある。さらに、行為1110で、マクロeNBは、マクロeNBのカバレージエリアのエッジにおける物理アップリンク制御チャネル(PUCCH)の電力に基づくフラクショナル電力制御パラメータと、最大パスロス値と、マクロeNBの電力飽和値とを生成できる。一態様では、マクロeNBの電力飽和値は、マクロeNBによって使用される電力増幅器の機能であり得る。一態様では、フラクショナル電力制御パラメータは、上記で説明した式(1)および式(2)に基づいて生成され得る。
【００５７】
行為1112で、フラクショナル電力制御パラメータが、UE(1) 1104に送信され得る。行為1114で、UE(1)は、UEとマクロeNBとの間のパスロス値を加えたフラクショナル電力制御パラメータと、D2D通信に使用される最大電力との間の第1の最小値を決定することによって、D2D通信に対する最大送信電力を計算できる。そのような計算は、式(3)で表現され得る。
PD2D=min{x+PL、Pmax)      (3)
【００５８】
行為1116で、UE(1) 1104は、式(3)を通じて決定された値以下の送信電力レベルを維持できる。一態様では、UE(1) 1104は、隣接するeNBによって送信された基準信号(RS)を測定するので、隣接セル内のD2Dのために割り振られたサブフレームに、(パスロスが、推定されたパスロスに基づく)同じ式が適用され得る。推定されたパスロスは、RRCのアイドル状態においてさえもUEによって取得される測定レポートを介して決定され得る。別の態様では、UEは、閉じた加入者グループ(CSG)を有するeNB、または測定レポートを介して検出されたすべてのeNBのいずれかに対して、式(3)で与えられる電力制御を適用するように構成され得る。さらに、隣接セル内のD2D通信に使用されないサブフレームにおいて、UE(1) 1104は、ULサブフレーム上でフラクショナル電力制御パラメータを使用できる。別の態様では、隣接セル内のDLサブフレームがD2Dのために使用される場合、パスロスベースの電力制御が使用され得る。一態様では、セルのエッジ上のUEが隣接セル内で受信されることがあるので、UE(1) 1104は、異なる定数を有するフラクショナル電力制御を使用して、より控えめな最大送信電力値をもたらすことができる。
【００５９】
図12は、ワイヤレス通信の方法のフローチャート1200である。方法は、eNBによって実行され得る。
【００６０】
ブロック1202で、eNBは、マクロeNBの電力飽和値に基づいてフラクショナル電力制御パラメータを生成できる。一態様では、マクロeNBの電力飽和値は、約65dBであり得る。一態様では、フラクショナル電力制御パラメータは、マクロeNBのカバレージエリアのエッジにおけるPUCCHの電力から最大パスロス値を減じることで第1の値を決定するステップ、および第1の値にマクロeNBの電力飽和値を加えるステップによって生成され得る。
【００６１】
オプションでは、ブロック1204で、eNBは、1つまたは複数の隣接セルの各々から、1つまたは複数の隣接セルの各々に対するフラクショナル電力制御パラメータを受信できる。
【００６２】
ブロック1206で、eNBは、D2D通信に関与する1つまたは複数のUEに、送信電力レベルをフラクショナル電力制御パラメータに基づく電力レベルより低く維持するように促すために、フラクショナル電力制御パラメータをブロードキャストできる。一態様では、UEによって関与するD2D通信は、1つまたは複数の他のUEからマクロeNBによって受信されるアップリンク通信に対して周波数直交する。随意の態様では、ブロードキャストは、1つまたは複数の隣接セルの各々に対するフラクショナル電力制御パラメータを含むリストを含み得る。そのような随意の態様では、1つまたは複数の隣接セルの、リストへの包含は、1つまたは複数の隣接セルが、閉じた加入者グループセル、開いた加入者グループセル、マクロeNB、ホームeNB、ピコeNB、などであるかどうかに応じて決まる。
【００６３】
図13は、例示的な装置1004における異なるモジュール/手段/構成要素間のデータフローを示す概念データフロー図1300である。装置1004は、限定はしないが、マクロeNBのカバレージエリアのエッジにおける物理アップリンク制御チャネル(PUCCH)の電力1304、最大パスロス値1306など、システム性能値を装置が決定することを可能にする様々な信号を受信できる受信モジュール1302を含む。さらに、随意の態様では、受信モジュール1302は、1つまたは複数の隣接セル1016の各々から、1つまたは複数の隣接セルの各々に対するフラクショナル電力制御パラメータ1312を受信できる。随意の態様では、送信モジュール1312のブロードキャストは、1つまたは複数の隣接セル1016の各々に対するフラクショナル電力制御パラメータ1314を含み得る。
【００６４】
装置1004は、マクロeNBの電力飽和値に基づいてフラクショナル電力制御パラメータ1310を生成するように動作可能であり得る電力制御パラメータモジュール1308をさらに含む。一態様では、マクロeNBの電力飽和値は、約65dBであり得る。一態様では、電力制御パラメータモジュール1308は、マクロeNBのカバレージエリアのエッジにおけるPUCCHの電力1304から最大パスロス値1306を減じることで第1の値を決定するステップ、および第1の値にマクロeNBの電力飽和値を加えるステップによって、フラクショナル電力制御パラメータ1310を生成できる。
【００６５】
装置1004は、デバイス間(D2D)通信に関与する1つまたは複数のユーザ機器(UE) 1002に、送信電力レベルをフラクショナル電力制御パラメータ1310に基づく電力レベルより低く維持するように促すために、フラクショナル電力制御パラメータ1310をブロードキャストするように動作可能である送信モジュール1312をさらに含む。一態様では、D2D通信に関与するUE 1002は、1つまたは複数の他のUE 1002からマクロeNB 1004によって受信されるアップリンク通信に対して周波数直交して通信されている。随意の態様では、送信モジュール1312のブロードキャストは、1つまたは複数の隣接セル1016の各々に対するフラクショナル電力制御パラメータ1314を含み得る。別の随意の態様では、送信モジュール1312は、セルに対する電力制御パラメータを隣接セル1016に送信できる。
【００６６】
装置は、上述したフローチャート図11および図13内のアルゴリズムのステップの各々を実行する追加のモジュールを含み得る。したがって、上述したフローチャート図11および図13内の各ステップは、モジュールによって実行されてよく、装置は、これらのモジュールの1つまたは複数を含むことができる。モジュールは、指定されたプロセス/アルゴリズムを実行するように特別に構成された1つもしくは複数のハードウェア構成要素であってよく、指定されたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００６７】
図14は、処理システム1414を採用する装置1004'のためのハードウェア実装の一例を示す図である。処理システム1414は、バス1424によって概略的に表されるバスアーキテクチャで実装され得る。バス1424は、処理システム1414の具体的な用途および全体的な設計制約に応じて、任意の数の相互接続するバスおよびブリッジを含み得る。バス1424は、プロセッサ1404、モジュール1302、1308、1312、およびコンピュータ可読媒体1406で表される、1つまたは複数のプロセッサおよび/またはハードウェアモジュールを含む様々な回路を共にリンクする。バス1424は、タイミングソース、周辺機器、電圧調整器、および電力管理回路など、様々な他の回路をリンクすることもでき、これらの回路は当技術分野で知られているのでこれ以上は説明しない。
【００６８】
処理システム1414は、トランシーバ1410に結合され得る。トランシーバ1410は、1つまたは複数のアンテナ1420に結合される。トランシーバ1410は、送信媒体上の様々な他の装置と通信するための手段を提供する。処理システム1414は、コンピュータ可読媒体1406に結合されたプロセッサ1404を含む。プロセッサ1404は、コンピュータ可読媒体1406上に記憶されたソフトウェアの実行を含む全般的な処理を受け持つ。ソフトウェアは、プロセッサ1404によって実行されると、任意の特定の装置に対して上記で説明した様々な機能を処理システム1414に実行させる。コンピュータ可読媒体1406は、ソフトウェアを実行するときにプロセッサ1404によって操作されるデータを記憶するために使用されてもよい。処理システムは、モジュール1302、1308、および1312のうちの少なくとも1つをさらに含む。モジュールは、コンピュータ可読媒体1406に常駐する/記憶される、プロセッサ1404で動作しているソフトウェアモジュール、プロセッサ1404に結合された1つもしくは複数のハードウェアモジュール、またはそれらの何らかの組合せとすることができる。
【００６９】
一構成では、ワイヤレス通信のための装置1004/1004'は、マクロeNBの電力飽和値に基づいてフラクショナル電力制御パラメータを生成するための手段と、D2D通信に関与する1つまたは複数のUEに、送信電力レベルをフラクショナル電力制御パラメータに基づく電力レベルより低く維持するように促すために、フラクショナル電力制御パラメータをブロードキャストするための手段とを含む。一態様では、D2D通信は、1つまたは複数の他のUEからマクロeNBによって受信されるアップリンク通信に対して周波数直交する。一態様では、マクロeNBの電力飽和値は、約65dBであり得る。ワイヤレス通信のための装置1004/1004'は、マクロeNBのカバレージエリアのエッジにおけるPUCCHの電力から最大パスロス値を減じることにより第1の値を決定するための手段と、第1の値にマクロeNBの電力飽和値を加えることによってフラクショナル電力制御パラメータを決定するための手段とをさらに含み得る。ワイヤレス通信のための装置1004/1004'は、1つまたは複数の隣接セルの各々に対するフラクショナル電力制御パラメータを含むリストをブロードキャストするための手段をさらに含み得る。一態様では、1つまたは複数の隣接セルの、リストへの包含は、1つまたは複数の隣接セルが、閉じた加入者グループセル、開いた加入者グループセル、マクロeNB、ホームeNB、ピコeNB、などであるかどうかに応じて決まることがある。ワイヤレス通信のための装置1004/1004'は、1つまたは複数の隣接セルの各々から、1つまたは複数の隣接セルの各々に対するフラクショナル電力制御パラメータを受信するための手段をさらに含み得る。
【００７０】
上記の手段は、装置1004の上記のモジュールおよび/または上記の手段によって記述される機能を実行するように構成された装置1004'の処理システム1414のうちの1つまたは複数であってよい。
【００７１】
図15は、ワイヤレス通信の方法のフローチャート1500である。方法は、ユーザ装置(UE)によって実行され得る。
【００７２】
ブロック1502で、UEは、D2D通信に関与している間にマクロeNBからフラクショナル電力制御パラメータを受信できる。一態様では、受信されたフラクショナル電力制御パラメータは、1つまたは複数の隣接セルの各々に対するフラクショナル電力制御パラメータを含み得る。一態様では、フラクショナル電力制御パラメータは、最大パスロス値を減じ、マクロeNBの電力飽和値を加えた、マクロeNBのカバレージエリアのエッジにおけるPUCCHの電力を含み得る。
【００７３】
ブロック1504で、UEは、UEとマクロeNBとの間のパスロス値を加えたフラクショナル電力制御パラメータで規定される第1の値が、D2D通信に使用される最大電力で規定される第2の値未満であるかどうかを判断できる。別の態様では、UEは、UEと隣接セルのeNBとの間のパスロス値を加えたフラクショナル電力制御パラメータで規定される第3の値が、第2の値未満であるものと判断できる。
【００７４】
ブロック1504で、第1の値が第2の値未満でないものとUEが判断する場合、ブロック1506で、UEは、D2D通信に対する送信電力レベルを維持できる。同様に、第3の値がブロック1504で決定されており、第3の値が第2の値未満でないものとUEが判断する場合、UEは、D2D通信の送信電力レベルを維持できる。そのような態様では、D2D通信に対する送信電力レベルは、隣接セルに関連付けられたULサブフレームに対して維持され得る。別の態様では、セル内でD2D通信に使用されるサブフレームが隣接セル内のDLサブフレームである場合、乗算器がフラクショナル電力制御パラメータに適用されて、UEとマクロeNBとの間のパスロス値を加えたフラクショナル電力制御パラメータに対してより小さい値をもたらすことができる。
【００７５】
対照的に、ブロック1504で、第1の値が第2の値未満であるものとUEが判断する場合、ブロック1508で、UEは、D2D通信に対する最大送信電力レベルを第1の値まで低減できる。同様に、第3の値がブロック1504で決定されており、第3の値が第2の値未満でないものとUEが判断する場合、UEは、D2D通信に対する最大送信電力レベルを第3の値まで低減できる。
【００７６】
図16は、例示的な装置1002における異なるモジュール/手段/構成要素間のデータフローを示す概念データフロー図1600である。装置1002は、別のUE 1006とのD2D通信に関与している間にマクロeNB 1004からフラクショナル電力制御パラメータ1604を受信するように動作可能である受信モジュール1602を含む。一態様では、フラクショナル電力制御パラメータ1604は、1つまたは複数の隣接セルの各々に対するフラクショナル電力制御パラメータのリストを含み得る。
【００７７】
装置は、UEとマクロeNB 1004との間のパスロス値を加えたフラクショナル電力制御パラメータ1604で規定される第1の値が、D2D通信1606に使用される最大電力で規定される第2の値未満であるかどうかを判断するように動作可能である電力制御パラメータ分析モジュール1608をさらに含む。第1の値が第2の値より大きいものと電力制御パラメータ分析モジュール1608が判断する場合、UE 1002は、D2D通信に使用されていた送信電力を維持できる。第1の値が第2の値より大きいものと電力制御パラメータ分析モジュール1608が判断する場合、電力制御パラメータ分析モジュール1608は、D2D通信1610に対して低減された最大送信電力レベルを使用できる。一態様では、電力制御パラメータ分析モジュール1608は、UE 1002と隣接セルのeNBとの間のパスロス値を加えたフラクショナル電力制御パラメータ1604で規定される第3の値が、第2の値未満であるかどうかを判断できる。そのような態様では、第3の値が第2の値より大きいものと電力制御パラメータ分析モジュール1608が判断する場合、UE 1002は、D2D通信に使用されていた送信電力を維持できる。さらに、そのような態様では、第3の値が第2の値より大きいものと電力制御パラメータ分析モジュール1608が判断する場合、電力制御パラメータ分析モジュール1608は、D2D通信1610に対して低減された最大送信電力レベルを使用できる。別の態様では、装置1002は、マクロeNBに関連付けられたセル内でD2D通信に使用されるサブフレームが隣接セル内のDLサブフレームであるものと判断するように動作可能であり、電力制御パラメータ分析モジュール1608は、受信されたフラクショナル電力制御パラメータに乗算器を適用して、UEとマクロeNBとの間のパスロス値を加えたフラクショナル電力制御パラメータに対してより小さい値をもたらすように動作可能であり得る。
【００７８】
装置は、D2D通信の実行を支援するように動作可能である送信モジュール1612をさらに含み得る。一態様では、送信モジュール1612は、電力制御パラメータ分析モジュール1608で決定された最大送信電力レベル1610を使用してD2D通信に関与できる。
【００７９】
装置は、上述したフローチャート図11および図15内のアルゴリズムのステップの各々を実行する追加のモジュールを含み得る。したがって、上述したフローチャート図11および図15内の各ステップは、モジュールによって実行することができ、装置は、それらのモジュールのうちの1つまたは複数を含み得る。モジュールは、指定されたプロセス/アルゴリズムを実行するように特別に構成された1つもしくは複数のハードウェア構成要素であってよく、指定されたプロセス/アルゴリズムを実行するように構成されたプロセッサによって実施されてよく、プロセッサによる実施のためにコンピュータ可読媒体内に記憶されてよく、またはそれらの何らかの組合せであってよい。
【００８０】
図17は、処理システム1714を採用する装置1002'のためのハードウェア実装の一例を示す図である。処理システム1714は、バス1724によって概略的に表されるバスアーキテクチャで実装され得る。バス1724は、処理システム1714の具体的な用途および全体的な設計制約に応じて、任意の数の相互接続するバスおよびブリッジを含み得る。バス1724は、プロセッサ1704、モジュール1602、1608、1612、およびコンピュータ可読媒体1706で表される、1つまたは複数のプロセッサおよび/またはハードウェアモジュールを含む様々な回路を共にリンクする。バス1724は、タイミングソース、周辺機器、電圧調整器、および電力管理回路など、様々な他の回路をリンクすることもでき、これらの回路は当技術分野で知られているのでこれ以上は説明しない。
【００８１】
処理システム1714は、トランシーバ1710に結合され得る。トランシーバ1710は、1つまたは複数のアンテナ1720に結合される。トランシーバ1710は、送信媒体上の様々な他の装置と通信するための手段を提供する。処理システム1714は、コンピュータ可読媒体1706に結合されたプロセッサ1704を含む。プロセッサ1704は、コンピュータ可読媒体1706上に記憶されたソフトウェアの実行を含む全般的な処理を受け持つ。ソフトウェアは、プロセッサ1704によって実行されると、任意の特定の装置に対して上記で説明した様々な機能を処理システム1714に実行させる。コンピュータ可読媒体1706は、ソフトウェアを実行するときにプロセッサ1704によって操作されるデータを記憶するために使用されてもよい。処理システムは、モジュール1602、1608、および1612のうちの少なくとも1つをさらに含む。モジュールは、コンピュータ可読媒体1706に常駐する/記憶される、プロセッサ1704で動作しているソフトウェアモジュール、プロセッサ1704に結合された1つもしくは複数のハードウェアモジュール、またはそれらの何らかの組合せとすることができる。
【００８２】
一構成では、ワイヤレス通信のための装置1002/1002'は、D2D通信に関与している間にマクロeNBからフラクショナル電力制御パラメータを、UEによって受信するための手段と、UEとマクロeNBとの間のパスロス値を加えたフラクショナル電力制御パラメータで規定される第1の値が、D2D通信に使用される最大電力で規定される第2の値未満であるかどうかを判断するための手段とを含む。装置1002/1002'は、第1の値が第2の値未満であると判断されるとき、D2D通信に対する最大送信電力レベルを第1の値まで低減するための手段を含み得る。一態様では、装置1002/1002'は、UEと隣接セルのeNBとの間のパスロス値を加えたフラクショナル電力制御パラメータで規定される第3の値が、第2の値未満であるかどうかを判断するための手段、および第3の値が第2の値未満であると判断されないとき、D2D通信に対する送信電力レベルを維持するための手段、または第3の値が第2の値未満であると判断されるとき、D2D通信に対する最大送信電力レベルを第3の値まで低減するための手段を含み得る。そのような態様では、装置1002/1002'は、1つまたは複数の隣接セルの各々に対するフラクショナル電力制御パラメータを含むリストを受信するための手段を含み得る。そのような態様では、第3の値を決定するために使用されるべきリストから選択されたフラクショナル電力制御パラメータは、隣接セルのeNBのセル識別子に基づくことができる。別の態様では、D2D通信に対する送信電力レベルは、隣接セルに関連付けられたULサブフレームに対して維持され得る。一態様では、装置1002/1002'は、マクロeNBに関連付けられたセル内でD2D通信に使用されるサブフレームが隣接セル内のDLサブフレームであるものと判断するための手段と、受信されたフラクショナル電力制御パラメータに乗算器を適用して、UEとマクロeNBとの間のパスロス値を加えたフラクショナル電力制御パラメータに対してより小さい値をもたらすための手段とを含み得る。一態様では、フラクショナル電力制御パラメータは、最大パスロス値を減じ、マクロeNBの電力飽和値を加えた、マクロeNBのカバレージエリアのエッジにおけるPUCCHの電力を含み得る。
【００８３】
上記の手段は、装置1002の上記のモジュールおよび/または上記の手段によって記述される機能を実行するように構成された装置1002'の処理システム1714のうちの1つまたは複数であってよい。
【００８４】
開示したプロセスにおけるステップの特定の順序または階層は、例示的な手法の一例であることを理解されたい。設計上の選好に基づいて、プロセスにおけるステップの特定の順序または階層は再構成可能であることを理解されたい。さらに、いくつかのステップを組み合わせるか、または省略することができる。添付の方法クレームは、様々なステップの要素を例示的な順序で提示したものであり、提示された特定の順序または階層に限定されるものではない。
【００８５】
上記の説明は、本明細書で説明する様々な態様を当業者が実施できるようにするために与えられる。これらの態様への様々な変更は当業者には容易に明らかであり、本明細書で定義した一般的原理は他の態様に適用され得る。したがって、特許請求の範囲は本明細書で示す態様に限定されるよう意図されているわけではなく、文言通りの特許請求の範囲と整合するすべての範囲を許容するように意図されており、単数の要素への言及は、そのように明記されていない限り、「唯一無二の」ではなく、「1つまたは複数の」を意味するよう意図されている。別段に明記されていない限り、「いくつかの」という用語は「1つまたは複数の」を意味する。当業者に知られている、または後で知られることになる本開示全体にわたって説明する様々な態様の要素に対するすべての構造的および機能的均等物は、参照により本明細書に明確に組み込まれ、特許請求の範囲によって包含されるものとする。さらに、本明細書で開示する内容は、そのような開示が特許請求の範囲で明示的に記載されているかどうかにかかわらず、公に供することは意図されていない。いかなるクレーム要素も、要素が「ための手段(means for)」という語句を使用して明確に記載されていない限り、ミーンズプラスファンクションとして解釈されるべきではない。
【符号の説明】
【００８６】
106  ユーザ機器(UE)
1000  ワイヤレス通信ネットワーク
1001  カバレージエリア
1002  UE
1002'  装置
1004  発展型ノードB(eNB)
1004'  装置
1005  マクロeNB
1006  UE
1008  UE
1010  ブロードキャスト
1012  デバイス間(D2D)通信
1014  通信
1016  eNB
1018  フラクショナル電力制御パラメータ
1100  ワイヤレス通信システム
1102  マクロeNB
1104  UE
1106  UE
1108  行為
1110  行為
1112  行為
1114  行為
1116  行為
1200  フローチャート
1300  概念データフロー図
1302  受信モジュール
1304  マクロeNBのカバレージエリアのエッジにおける物理アップリンク制御チャネル(PUCCH)の電力
1306  最大パスロス値
1308  電力制御パラメータモジュール
1310  フラクショナル電力制御パラメータ
1312  フラクショナル電力制御パラメータ
1314  フラクショナル電力制御パラメータ
1414  処理システム
1500  フローチャート
1600  概念データフロー図
1602  受信モジュール
1604  フラクショナル電力制御パラメータ
1606  D2D通信
1608  電力制御パラメータ分析モジュール
1610  D2D通信
1612  送信モジュール
【図１】
2015517778.tif 000003
【図２】
2015517778.tif 000004
【図３】
2015517778.tif 000005
【図４】
2015517778.tif 000006
【図５】
2015517778.tif 000007
【図６】
2015517778.tif 000008
【図７】
2015517778.tif 000009
【図８】
2015517778.tif 000010
【図９】
2015517778.tif 000011
【図１０】
2015517778.tif 000012
【図１１】
2015517778.tif 000013
【図１２】
2015517778.tif 000014
【図１３】
2015517778.tif 000015
【図１４】
2015517778.tif 000016
【図１５】
2015517778.tif 000017
【図１６】
2015517778.tif 000018
【図１７】
2015517778.tif 000019
【国際調査報告】
2015517778.tif 000020
2015517778.tif 000021
2015517778.tif 000022